(57)【要約】【課題】脱落防止構造の部品点数を削減し、施工性を向上させること。【解決手段】金属製框材３７は、基部３７１と、基部３７１から突出し、面材３１と見込み方向に対向する第１ヒレ部３７２とを備える。樹脂製框材３８は、面材３１を挟んで第１ヒレ部３７２と見込み方向に対向する第２ヒレ部３８４を備える。補強材６は、見込み方向に沿って延在し、面材３１及び基部３７１の間に位置する第１延在部６１と、第１延在部６１における第２ヒレ部３８４側の端部から屈曲して延在し、面材３１及び第２ヒレ部３８４の間に位置する第２延在部６２とを備える。基部３７１には、補強材６における見込み方向の中心位置ＣＰ１よりも第２ヒレ部３８４側の位置から突出する第１突出部３７６が形成されている。【選択図】図３
2018040136.tif 000002
【特許請求の範囲】
【請求項１】
面材の端部が框にて保持されるとともに、前記框と前記面材の端部との間に補強材が設けられた建具であって、
前記框は、
金属製框材と樹脂製框材とで構成され、
前記金属製框材は、
基部と、
前記基部から突出し、前記面材と見込み方向に対向する第１ヒレ部とを備え、
前記樹脂製框材は、
前記面材を挟んで前記第１ヒレ部と見込み方向に対向する第２ヒレ部を備え、
前記補強材は、
見込み方向に沿って延在し、前記面材及び前記基部の間に位置する第１延在部と、
前記第１延在部における前記第２ヒレ部側の端部から屈曲して延在し、前記面材及び前記第２ヒレ部の間に位置する第２延在部とを備え、
前記基部には、
前記補強材における見込み方向の中心位置よりも前記第２ヒレ部側の位置から前記面材の端部側に突出する第１突出部が形成されている
ことを特徴とする建具。
【請求項２】
前記第１突出部は、
前記第１延在部に当接する
ことを特徴とする請求項１に記載の建具。
【請求項３】
前記金属製框材及び前記樹脂製框材は、
互いに係合して見込み方向に対向した構成を有し、
前記第１突出部は、
前記金属製框材と前記樹脂製框材との係合構造の一部を構成する
ことを特徴とする請求項１または２に記載の建具。
【請求項４】
前記面材は、
見込み方向に対面配置された複数枚のガラス材を有する複層ガラスで構成され、
前記第１突出部は、
前記複数枚のガラス材のうち前記第２ヒレ部に最も近接して配置されるガラス材の端部に対向した位置に形成されている
ことを特徴とする請求項１〜３のいずれか一つに記載の建具。
【請求項５】
前記基部には、
前記第１ヒレ部と前記第１突出部との間の位置から前記面材の端部側に突出し、前記第１延在部に当接する第２突出部が形成されている
ことを特徴とする請求項１〜４のいずれか一つに記載の建具。
【請求項６】
前記第２突出部は、
前記框を他の框に接続するためのビスホールである
ことを特徴とする請求項５に記載の建具。
【請求項７】
前記框は、
下框である
ことを特徴とする請求項１〜６のいずれか一つに記載の建具。
【発明の詳細な説明】
【技術分野】
【０００１】
本発明は、面材の端部が框にて保持されるとともに、框と面材の端部との間に補強材が設けられた建具に関する。
【背景技術】
【０００２】
従来、面材を保持する框材を金属製框材と樹脂製框材とで構成した建具が知られている（例えば、特許文献１，２参照）。
特許文献１，２において、金属製框材（金属框）と樹脂製框材（樹脂カバー）とは、互いに係合することで見込み方向に対向する。そして、金属製框材と樹脂製框材とで面材（複層ガラス）の外周端部を保持するガラス溝を形成している。このガラス溝内には、面材の下端部を囲む断面視Ｕ字形状を有する金属製の補強材（ガラス間口補強材）が設けられている。さらに、ガラス溝の底部には、断面視Ｕ字形状を有し、補強材を支持するピース状の複数の下がり防止部材が設けられている。
そして、上述した金属製框材、補強材、及び複数の下がり防止部材は、火災等により加熱されることで樹脂製框材が溶融した際に、面材の脱落を防止する脱落防止構造を構成している。
【先行技術文献】
【特許文献】
【０００３】
【特許文献１】特許第５７４６６０８号公報
【特許文献２】特許第５７７８８４８号公報
【発明の概要】
【発明が解決しようとする課題】
【０００４】
しかしながら、特許文献１，２に記載の脱落防止構造では、金属製框材と、補強材と、複数の下がり防止部材とを採用しており、建具の施工性を考慮すると、当該施工性に適した部品点数とは言えない。このため、脱落防止構造の部品点数を削減し、建具の施工性を向上させることができる技術が要望されている。
【０００５】
本発明は、上記実情に鑑みて、脱落防止構造の部品点数を削減し、施工性を向上させることができる建具を提供することを目的とする。
【課題を解決するための手段】
【０００６】
上記目的を達成するため、本発明に係る建具は、面材の端部が框にて保持されるとともに、前記框と前記面材の端部との間に補強材が設けられた建具であって、前記框は、金属製框材と樹脂製框材とで構成され、前記金属製框材は、基部と、前記基部から突出し、前記面材と見込み方向に対向する第１ヒレ部とを備え、前記樹脂製框材は、前記面材を挟んで前記第１ヒレ部と見込み方向に対向する第２ヒレ部を備え、前記補強材は、見込み方向に沿って延在し、前記面材及び前記基部の間に位置する第１延在部と、前記第１延在部における前記第２ヒレ部側の端部から屈曲して延在し、前記面材及び前記第２ヒレ部の間に位置する第２延在部とを備え、前記基部には、前記補強材における見込み方向の中心位置よりも前記第２ヒレ部側の位置から突出する第１突出部が形成されていることを特徴とする。
【０００７】
本発明では、金属製框材を構成する基部には、補強材における見込み方向の中心位置よりも第２ヒレ部側（樹脂製框材側）の位置から突出する第１突出部が形成されている。このため、火災等により加熱されることで樹脂製框材が溶融した場合であっても、金属製框材（第１ヒレ部及び基部（第１突出部を含む））及び補強材により面材を保持し、当該面材の脱落を防止することができる。
したがって、本発明に係る建具によれば、面材の脱落を防止する脱落防止構造を金属製框材（第１ヒレ部及び基部（第１突出部を含む））及び補強材で構成することができる。すなわち、当該脱落防止構造の部品点数を削減し、建具の施工性を向上させることができる、という効果を奏する。
特に、第１突出部を上述した位置に形成しているため、第１延在部における第２ヒレ部側の端部が外周側（基部側）に移動するように第１延在部が傾く補強材の転びを第１突出部にて防止することができる。すなわち、当該補強材の転びが発生した場合には、補強材と金属製框材との間に想定外の隙間が発生し、当該隙間が出火につながる虞があるところ、当該補強材の転び（当該隙間の発生）を防止することができるため、防火性能を十分に確保することができる。
【０００８】
また、本発明は、上述した建具において、前記第１突出部は、前記第１延在部に当接することを特徴とする。
本発明では、第１突出部が第１延在部に当接するため、金属製框材（第１ヒレ部及び基部（第１突出部を含む））及び補強材により、火災発生の前後で同様に面材を保持することができる。このため、火災等により加熱されることで樹脂製框材が溶融した場合であっても、面材の脱落をより確実に防止することができる。
【０００９】
また、本発明は、上述した建具において、前記金属製框材及び前記樹脂製框材は、互いに係合して見込み方向に対向した構成を有し、前記第１突出部は、前記金属製框材と前記樹脂製框材との係合構造の一部を構成することを特徴とする。
本発明では、第１突出部は、上述した脱落防止構造を構成する他、樹脂製框材と係合する機能を有する。このため、第１突出部とは別に、樹脂製框材と係合する係合部を金属製框材に形成した構成と比較して、金属製框材の構造を簡素化することができる。
【００１０】
また、本発明は、上述した建具において、前記面材は、見込み方向に対面配置された複数枚のガラス材を有する複層ガラスで構成され、前記第１突出部は、前記複数枚のガラス材のうち前記第２ヒレ部に最も近接して配置されるガラス材の端部に対向した位置に形成されていることを特徴とする。
本発明では、第１突出部は、第２ヒレ部に最も近接して配置されるガラス材の端部に対向した位置に形成されている。このため、火災等により加熱されることで第２ヒレ部に最も近接して配置されるガラス材に熱伸びが生じた場合であっても、上述した補強材の転びを第１突出部にて効果的に防止することができる。
【００１１】
また、本発明は、上述した建具において、前記基部には、前記第１ヒレ部と前記第１突出部との間の位置から突出し、前記第１延在部に当接する第２突出部が形成されていることを特徴とする。
本発明では、基部には、上述した第２突出部が形成されている。このため、第１，第２突出部にて補強材の姿勢を安定化させることができ、面材の脱落を効果的に防止することができる。
【００１２】
また、本発明は、上述した建具において、前記第２突出部は、前記框を他の框に接続するためのビスホールであることを特徴とする。
本発明では、第２突出部は、上述した脱落防止構造を構成する他、上述したビスホールとして機能する。このため、ビスホールとは別に、第２突出部を金属製框材に形成した構成と比較して、金属製框材の構造を簡素化することができる。
【００１３】
また、本発明は、上述した建具において、前記框は、下框であることを特徴とする。
本発明では、上述した框は、下框である。すなわち、上述した第１突出部を下框に形成することで、面材の脱落を最も効果的に防止することができる。
【発明の効果】
【００１４】
本発明に係る建具によれば、脱落防止構造の部品点数を削減し、施工性を向上させることができる、という効果を奏する。
【図面の簡単な説明】
【００１５】
【図１】図１は、本発明の実施の形態１に係る建具を室内側から見た図である。
【図２】図２は、図１に示した建具の縦断面図である。
【図３】図３は、図２に示した外障子の下部を拡大した図である。
【図４】図４は、本発明の実施の形態１の効果を説明する図であって、図３に示した下框から樹脂製框材を取り外した状態を示す図である。
【図５】図５は、図３に対応した図であって、本発明の実施の形態２に係る建具を構成する外障子の下部を拡大した図である。
【図６】図６は、図５に示した下框から樹脂製框材を取り外した状態を示す図である。
【発明を実施するための形態】
【００１６】
以下に、図面を参照して、本発明を実施するための形態（以下、実施の形態）について説明する。なお、以下に説明する実施の形態によって本発明が限定されるものではない。さらに、図面の記載において、同一の部分には同一の符号を付している。
【００１７】
（実施の形態１）
〔建具の概略構成〕
図１は、本発明の実施の形態１に係る建具１を室内側から見た図である。図２は、建具１の縦断面図である。
なお、以下で記載する「見込み方向」は、図２の矢印Ａｒで示すように、建具１の奥行きに沿った方向である。見込み方向に沿った平面については、見込み面と称し、見込み方向に直交する平面については、見付け面と称する場合がある。
建具１は、引違い窓で構成され、枠体２と、外障子３と、内障子４とを備える。
枠体２は、上枠２１、下枠２２、図１中、左側に位置する左縦枠２３、及び図１中、右側に位置する右縦枠２４を四周枠組みすることによって構成され、建物の開口部Ｏｐの縁部に沿うように取り付けられる。
これら各枠部材２１〜２４は、合成樹脂製またはアルミニウム等の金属製の押し出し形材であり、全長に亘って略一様な断面形状を有する。
【００１８】
外障子３は、内障子４に対して室外側に位置し、枠体２に対して図１中、左右方向に開閉移動可能に取り付けられている。この外障子３は、面材３１と、框体３２とを備える。
面材３１は、スペーサ３１１を介して２枚のガラス材３１２，３１３を互いに間隔を隔てて対面配置した２層の複層ガラスで構成されている。本実施の形態１では、２枚のガラス材３１２，３１３のうち、室外側に位置するガラス材３１２として、内部に網を封入した網入りガラスを採用している。また、室内側に位置するガラス材３１３として、一方の表面に金属膜を設けたＬｏｗ  Ｅｍｉｓｓｉｖｉｔｙガラス（低放射ガラス）を採用している。
框体３２は、上框３３、下框３４、戸先框３５、及び召合せ框（図示略）を框組みすることにより構成され、内部で面材３１を保持する。
ここで、下框３４は、本発明に係る框に相当する。なお、本発明の要部である下框３４の詳細な構成については後述する。
【００１９】
内障子４は、枠体２に対して図１中、左右方向に開閉移動可能に取り付けられている。この内障子４は、外障子３における面材３１（スペーサ３１１及び２枚のガラス材３１２，３１３を含む）及び框体３２（上框３３、下框３４、戸先框３５、及び召合せ框（図示略）を含む）とそれぞれ同様の面材４１（スペーサ４１１及び２枚のガラス材４１２，４１３を含む）及び框体４２（上框４３、下框４４、戸先框４５、及び召合せ框４６を含む）を備える。
ここで、下框４４は、本発明に係る框に相当する。なお、本発明の要部である下框４４の詳細な構成については後述する。
【００２０】
上述した外障子３及び内障子４において、戸先框３５が左縦枠２３に当接するとともに、戸先框４５が右縦枠２４に当接した場合には、外障子３の召合せ框（図示略）と内障子４の召合せ框４６とが互いに係合する。そして、開口部Ｏｐは、外障子３及び内障子４にて閉塞される。この状態では、外障子３の召合せ框（図示略）と内障子４の召合せ框４６との間は、クレセントＣＲ（図１）によってロック可能である。当該クレセントＣＲによりロックすることにより、外障子３及び内障子４は、開口部Ｏｐを閉塞した状態に保持される。
【００２１】
〔下框の構成〕
外障子３における下框３４と内障子４における下框４４は、同一の構成を有する。このため、以下では、外障子３における下框３４の構成についてのみ説明する。そして、内障子４における下框４４については、外障子３における下框３４と同様の構成には同一の符号を付し、その詳細な説明は省略する。
図３は、図２に示した外障子３の下部を拡大した図である。
下框３４は、金属製框材３７と、樹脂製框材３８とを備え、これら各框材３７，３８が互いに係合して見込み方向に対向した構成を有する。
金属製框材３７は、アルミニウム等の金属製の押し出し形材であり、全長に亘って略一様な断面形状を有する。この金属製框材３７は、基部３７１と、内周側ヒレ部３７２と、一対の外周側ヒレ部３７３とを備える。
【００２２】
基部３７１は、金属製框材３７の長手方向に沿って延在する角筒形状を有する。
この基部３７１において、上方側の見込み面を構成する上壁部３７ａは、室内側に延長され、室内側の端部が室内側の見付け面を構成する側壁部３７ｂよりも室内側に位置する。そして、この上壁部３７ａには、ビスホール３７４と、第１係合受け部３７５とが形成されている。
ビスホール３７４は、戸先框３５や召合せ框（図示略）と下框３４とをビスにより固定するための部分であり、上壁部３７ａの上面から上方に突出している。そして、このビスホール３７４は、本発明に係る第２突出部に相当する。
第１係合受け部３７５は、金属製框材３７と樹脂製框材３８との係合構造の一部を構成する部分であり、第１突出部３７６と、鉤状部３７７とを備える。
第１突出部３７６は、上壁部３７ａの上面から上方に突出した部分であり、ビスホール３７４の高さ寸法と同一の高さ寸法を有する。
鉤状部３７７は、上壁部３７ａにおける室内側の端部から上方側に屈曲して延在し、先端が室外側に屈曲した鉤状に形成されている。
【００２３】
内周側ヒレ部３７２は、本発明に係る第１ヒレ部に相当し、上壁部３７ａにおける室外側の端部から上方側に向けて延在した部分である。
一対の外周側ヒレ部３７３は、基部３７１における下方側の見込み面を構成する下壁部３７ｃの室内側及び室外側の端部から下方側に向けてそれぞれ延在した部分である。
そして、一対の外周側ヒレ部３７３と下壁部３７ｃとで形成されるＵ字状の下溝部３９ａには、下枠２２に設けられ、外障子３の開閉移動を案内するレール２２１の一部が挿入される。
また、一対の外周側ヒレ部３７３のうち、室内側に位置する外周側ヒレ部３７３における室内側の面には、室内側に向けて突出し、先端が下方側に屈曲した鉤状の第２係合受け部３７８が設けられている。
【００２４】
樹脂製框材３８は、合成樹脂製の押し出し形材であり、全長に亘って略一様な断面形状を有する。この樹脂製框材３８は、板体３８１と、第１，第２係合部３８２，３８３とを備える。
板体３８１は、樹脂製框材３８の長手方向に沿って延在する略平板形状を有する。この板体３８１は、金属製框材３７の全長と略同一の全長を有するとともに、金属製框材３７の幅寸法（図３中、上下方向の長さ寸法）と略同一の幅寸法を有する。
第１係合部３８２は、板体３８１における室外側の面から室外側に突出し、先端が下方側に屈曲した鉤状に形成されている。
第２係合部３８３は、板体３８１における下方側の端部から室外側に屈曲して延在し、先端が上方側に屈曲した鉤状に形成されている。
【００２５】
以上説明した樹脂製框材３８は、第２係合受け部３７８に第２係合部３８３を引っ掛け（係合し）、第１係合受け部３７５（第１突出部３７６と鉤状部３７７との間）に第１係合部３８２を引っ掛ける（係合する）ことにより、金属製框材３７に取り付けられる。この状態では、板体３８１における上端側の部位３８４は、内周側ヒレ部３７２と見込み方向に対向する。すなわち、上端側の部位３８４は、本発明に係る第２ヒレ部に相当する。
そして、面材３１の下端部は、グレチャン５を介して、内周側ヒレ部３７２と上端側の部位３８４と上壁部３７ａとで形成されるＵ字状の上溝部３９ｂに配置された状態で保持される。また、当該上溝部３９ｂの内部には、面材３１の脱落を防止する補強材６が設けられている。
【００２６】
補強材６は、ステンレス等の金属材料から構成され、下框３４の全長と略同一の全長を有する。この補強材６は、第１延在部６１と、第２延在部６２とを備え、断面視Ｌ字形状を有する。
第１延在部６１は、見込み方向に沿って延在した板体で構成され、当該見込み方向に沿う長さ寸法が上溝部３９ｂの見込み方向に沿う幅寸法と略同一に設定されている。そして、第１延在部６１は、面材３１と基部３７１（上壁部３７ａ）との間に位置する。
また、第１延在部６１の上面とグレチャン５との間には、複数のセッティングブロック６１１と、第１熱膨張性部材（加熱発泡材）６１２と、複数の第２熱膨張性部材（加熱発泡材）６１３とが設けられている。
【００２７】
複数のセッティングブロック６１１は、アルミニウム等の金属製の板体でそれぞれ構成され、補強材６の長手方向に沿って並設されている。そして、複数のセッティングブロック６１１は、第１延在部６１の上面とグレチャン５との間に設けられることにより、面材３１を支持し、当該面材３１のずり下がりを防止する。
第１熱膨張性部材６１２は、加熱されることで発泡する部材であり、第１延在部６１の全長に亘って延在し、当該第１延在部６１の上面と複数のセッティングブロック６１１との間において、室内側に設けられている。
第２熱膨張性部材６１３は、第１熱膨張性部材６１２と同様に加熱されることで発泡する部材であり、セッティングブロック６１１と同一の数だけ設けられている。そして、複数の第２熱膨張性部材６１３は、第１延在部６１の上面と複数のセッティングブロック６１１の間において、室外側に設けられるとともに、セッティングブロック６１１の下方にのみそれぞれ設けられている。
【００２８】
第２延在部６２は、第１延在部６１における室内側の端部から上方側に屈曲して延在した板体で構成されている。そして、第２延在部６２は、面材３１と板体３８１における上端側の部位３８４との間に位置する。
以上説明した補強材６は、第１延在部６１がネジＳｃにより上壁部３７ａの上面に固定されることにより、金属製框材３７に取り付けられる。そして、補強材６は、ビスホール３７４及び第１突出部３７６の先端に第１延在部６１が当接し、当該ビスホール３７４及び第１突出部３７６にて支持される。
【００２９】
〔第１突出部、ビスホール、及び補強材の位置関係〕
次に、第１突出部３７６、ビスホール３７４、及び補強材６の位置関係について図３を参照しつつ説明する。
第１突出部３７６は、補強材６における見込み方向の中心位置ＣＰ１よりも板体３８１側に位置する。また、第１突出部３７６は、面材３１の重心位置（図示略）よりも板体３８１側に位置する。より具体的に、第１突出部３７６は、２枚のガラス材３１２，３１３のうち、板体３８１に最も近接して配置されるガラス材３１３の下方に位置する。すなわち、第１突出部３７６は、ガラス材３１３の端部に対向する位置に形成されている。
また、ビスホール３７４における見込み方向の中心位置ＣＰ２は、第１突出部３７６と内周側ヒレ部３７２との間に位置する。より具体的に、中心位置ＣＰ２は、中心位置ＣＰ１よりも内周側ヒレ部３７２側に位置する。また、中心位置ＣＰ２は、面材３１の重心位置（図示略）よりも内周側ヒレ部３７２側に位置する。
【００３０】
以上説明した本実施の形態１に係る建具１によれば、以下の効果を奏する。
図４は、本発明の実施の形態１の効果を説明する図であって、図３に示した下框３４から樹脂製框材３８を取り外した状態を示す図である。
本実施の形態１に係る建具１では、金属製框材３７を構成する基部３７１には、補強材６における見込み方向の中心位置ＣＰ１よりも板体３８１側の位置から上方に突出する第１突出部３７６が形成されている。このため、火災等により加熱されることで樹脂製框材３８が焼失した場合（図４）であっても、金属製框材３７（内周側ヒレ部３７２及び基部３７１（第１突出部３７６を含む））及び補強材６により面材３１，４１を支持し、当該面材３１，４１の脱落を防止することができる。
したがって、本実施の形態１に係る建具１によれば、面材３１，４１の脱落を防止する脱落防止構造を金属製框材３７（内周側ヒレ部３７２及び基部３７１（第１突出部３７６を含む））及び補強材６で構成することができる。すなわち、当該脱落防止構造の部品点数を削減し、建具１の施工性を向上させることができる、という効果を奏する。
【００３１】
特に、第１突出部３７６を上述した位置に形成しているため、第１延在部６１における室内側の端部が下方側に移動するように第１延在部６１が傾く補強材６の転びを第１突出部３７６にて防止することができる。すなわち、当該補強材６の転びが発生した場合には、補強材６と金属製框材３７との間に想定外の隙間が発生し、当該隙間が出火につながる虞があるところ、当該補強材６の転び（当該隙間の発生）を防止することができるため、防火性能を十分に確保することができる。また、当該補強材６の転びに応じて熱膨張性部材６１１が潰れたり、発泡が妨げられたりすることがなく、防火性能を安定させることができる。
【００３２】
また、本実施の形態１に係る建具１では、第１突出部３７６は、第１延在部６１に当接する。このため、金属製框材３７（内周側ヒレ部３７２及び基部３７１（第１突出部３７６を含む））及び補強材６により、火災発生の前後で同様に面材３１，４１を支持することができる。したがって、火災等により加熱されることで樹脂製框材３９が焼失した場合であっても、面材３１，４１の脱落をより確実に防止することができる。
【００３３】
また、本実施の形態１に係る建具１では、第１突出部３７６は、上述した脱落防止構造を構成する他、樹脂製框材３８（第１係合部３８２）と係合する機能を有する。このため、第１突出部３７６とは別に、樹脂製框材３８と係合する係合部を金属製框材３７に形成した構成と比較して、金属製框材３７の構造を簡素化することができる。
【００３４】
また、本実施の形態１に係る建具１では、第１突出部３７６は、板体３８１に最も近接して配置されるガラス材３１３の下方に位置する。このため、火災等により加熱されることでガラス材３１３に熱伸びが生じた場合であっても、上述した補強材６の転びを第１突出部３７６にて効果的に防止することができる。
【００３５】
また、本実施の形態１に係る建具１では、第１突出部３７６の他、ビスホール３７４にて補強材６を支持する。このため、第１突出部３７６及びビスホール３７４にて補強材６を安定に支持し、面材３１，４１の脱落を効果的に防止することができる。
特に、本発明に係る第２突出部をビスホール３７４で構成している。このため、ビスホール３７４とは別に、本発明に係る第２突出部を金属製框材３７に形成した構成と比較して、金属製框材３７の構造を簡素化することができる。
【００３６】
また、本実施の形態１に係る建具１では、本発明に係る框を下框３４，４４で構成している。すなわち、上述した第１突出部３７６等を下框３４，４４に形成することで、面材３１，４１の脱落を最も効果的に防止することができる。
なお、上述した脱落防止構造については、下框３４，４４に限らず、上框３３，４３、戸先框３５，４５、召合せ框４６等に設けても構わない。すなわち、本発明に係る框は、下框３４，４４に限らず、上框３３，４３、戸先框３５，４５、召合せ框４６としても構わない。
【００３７】
（実施の形態２）
次に、本発明の実施の形態２について説明する。
以下の説明では、実施の形態１と同様の構成には同一符号を付し、その詳細な説明は省略または簡略化する。
図５は、図３に対応した図であって、本発明の実施の形態２に係る建具１Ａを構成する外障子３Ａの下部を拡大した図である。図６は、図５に示した下框３４Ａから樹脂製框材３８を取り外した状態を示す図である。
本実施の形態２に係る建具１Ａ（外障子３Ａ）では、上述した実施の形態１で説明した建具１（外障子３）に対して、金属製框材３７よりも肉厚の薄い金属製框材３７Ａを有する下框３４Ａを採用しているとともに、補強材６とは異なる形状の補強材６Ａを採用している。なお、建具１Ａを構成する内障子については、図示を省略したが、外障子３Ａにおける下框３４Ａ及び補強材６Ａと同様の構成を有する。
【００３８】
補強材６Ａは、上述した実施の形態１で説明した補強材６に対して、第２延在部６２と、第１延在部６１よりも見込み方向の寸法を短くした第１延在部６１Ａと、第３延在部６３とを備え、断面視略Ｕ字形状を有する。
第３延在部６３は、第１延在部６１Ａにおける室外側の端部から上方側に屈曲して延在した板体で構成されている。そして、第３延在部６３は、面材３１と内周側ヒレ部３７２との間に位置する。
なお、第１突出部３７６、ビスホール３７４、及び補強材６Ａの位置関係は、上述した実施の形態１で説明した第１突出部３７６、ビスホール３７４、及び補強材６の位置関係と同様である。
以上説明した本実施の形態２に係る建具１Ａのように、補強材６Ａを断面視略Ｕ字状に形成した場合であっても、火災等により加熱されることで樹脂製框材３８が焼失した際（図６）に、金属製框材３７Ａ（内周側ヒレ部３７２及び基部３７１（第１突出部３７６を含む））及び補強材６Ａにより、面材３１，４１の脱落や上述した補強材６Ａの転びを防止することができる。すなわち、上述した実施の形態１と同様の効果を奏する。
【００３９】
（その他の実施の形態）
ここまで、本発明を実施するための形態を説明してきたが、本発明は上述した実施の形態１，２によってのみ限定されるべきものではない。
上述した実施の形態１，２では、本発明に係る建具を引違い窓に採用していたが、これに限らない。例えば、３枚以上の障子が左右方向にスライドする引違い方式の窓や両袖片引き窓や引き分け窓、枠体内の領域が縦骨により区分けされ、区分けされた一方の領域がＦＩＸ窓や壁をなす片引き窓、障子が上下方向にスライド移動する上げ下げ窓、障子が見込み方向に開閉するすべり出し窓、１枚の障子をはめ殺したはめ殺し窓、勝手口ドア、玄関ドア、あるいは、カーテンフォール等、各種の建具に本発明を採用しても構わない。
【００４０】
上述した実施の形態１，２では、第１突出部３７６は、第１延在部６１，６１Ａに当接していたが、これに限らず、上壁部３７ａの上面から上方に突出していれば、先端と第１延在部６１，６１Ａとの間に隙間が空いた状態となっていても構わない。
【００４１】
上述した実施の形態１，２では、面材３１（４１）として、２枚のガラス材３１２，３１３（４１２，４１３）からなる複層ガラスを採用していたが、これに限らず、例えば、３枚以上のガラスからなる複層ガラスを採用しても構わない。また、複層ガラスは、網入りガラスと低放射ガラスとの組み合わせに限らず、網入りガラスとフロートガラス、耐熱ガラスと低放射ガラス等、その他の組み合わせであっても構わない。さらに、上述した実施の形態１，２では、耐火強度の高い網入りガラスを室外側に配置しているが、耐火強度の高いガラスを室内側に配置しても構わない。
【００４２】
上述した実施の形態１，２では、本発明に係る第２突出部として、ビスホール３７４を採用していたが、これに限らない。例えば、ビスホール３７４を上壁部３７ａの下面に形成し、上壁部３７ａの上面にビスホール３７４とは異なる第２突出部を設けた構成を採用しても構わない。
【符号の説明】
【００４３】
１，１Ａ  建具、６，６Ａ  補強材、３１，４１  面材、３４，３４Ａ，４４  下框、３７，３７Ａ  金属製框材、３８  樹脂製框材、６１，６１Ａ  第１延在部、６２  第２延在部、３７１  基部、３７２  内周側ヒレ部（第１ヒレ部）、３７４  ビスホール（第２突出部）、３７６  第１突出部、３８４  上端側の部位（第２ヒレ部）、ＣＰ１  中心位置
【図１】
2018040136.tif 000003
【図２】
2018040136.tif 000004
【図３】
2018040136.tif 000005
【図４】
2018040136.tif 000006
【図５】
2018040136.tif 000007
【図６】
2018040136.tif 000008